(57)【要約】【課題】外形が多角形の容器で、その底部の積み重ね用の嵌合部が上方開口部の内径よりもかなり小さくする必要がある容器であって、下段の容器の上方開口部に上段の容器の嵌合部を嵌合して積み重ねた場合に、直径方向のガタつきを防止して積み重ねができるようにする。【解決手段】底部に、外周面の直径を上方開口部の内径の直径より小さくした嵌合部１０を設ける。嵌合部１０の外面に外方へ突出する第１の突起１２を、周方向において部分的に、かつ、外方への突出量を上方開口部１１に対してほぼ一ぱいに嵌合する長さに設定して設ける。前記嵌合部よりも上方の位置において、外方へ突出する第２の突起１３を、周方向において部分的に、かつ、外方への突出量を上方開口部１１の内径よりも大きく設定して設ける。【選択図】        図１
2004314971.tif 000002
【特許請求の範囲】
【請求項１】
上方が開口する有底筒状で、かつ、底部の直径が上方開口部の直径よりも小さい容器であって、その底部に、外周面の直径を上方開口部の内径の直径より小さくした嵌合部を設け、該嵌合部の外面に外方へ突出する第１の突起を、周方向において部分的に、かつ、外方への突出量を上方開口部に対してほぼ一ぱいに嵌合する長さに設定して設け、更に、前記嵌合部よりも上方の位置において、外方へ突出する第２の突起を、周方向において部分的に、かつ、外方への突出量を上方開口部の内径よりも大きく設定して設けたことを特徴とする容器。
【発明の詳細な説明】
【０００１】
【発明の属する技術分野】
本発明は容器に関する。
【０００２】
【従来の技術】
従来、パチンコゲーム機やスロットマシンゲーム機などの遊戯娯楽機器において、遊戯者がその玉やコインを入れる容器として、通常、上方が開口した方形の箱が用いられている。
【０００３】
また、このような箱は、底部に段を形成して、その箱を複数個積み重ねることができるようになっている。
【０００４】
【発明が解決しようとする課題】
ところで、前記のような容器として、図１に示すような筒状で、かつ、図５に示すように下部が狭くなったジョッキ状の容器１にすると、意匠的に趣きのある容器になる。
【０００５】
更に、その容器の内面２を真円に形成し、外面３を多角面にすると、更に趣きのある容器になる。
【０００６】
このような容器において、これを複数個積み重ねる構造として、従来のように、単に底部に段を設けるのみでは、積み重ねることはできない。すなわち、図３に示すように、容器１の底部における多角形の辺４の中央部の直径Ｒ１が多角形の辺４の両端の直径Ｒ２よりも小さくなるため、単に段部を設けるのみでは、容器１の上部と底部を嵌合できないか、或いは嵌合できるように形成してもガタつきが大きくなる。
【０００７】
そこで本発明は、前記のような多角形の容器において、ガタつきが少なく積み重ねることができる容器を提供することを目的とするものである。
【０００８】
【課題を解決するための手段】
前記の課題を解決するために、請求項１記載の発明は、上方が開口する有底筒状で、かつ、底部の直径が上方開口部の直径よりも小さい容器であって、底部に、その外周面の直径を上方開口部の内径の直径より小さくした嵌合部を設け、該嵌合部の外面に外方へ突出する第１の突起を、周方向において部分的に、かつ、外方への突出量を上方開口部に対してほぼ一ぱいに嵌合する長さに設定して設け、更に、前記嵌合部よりも上方の位置において、外方へ突出する第２の突起を、周方向において部分的に、かつ、外方への突出量を上方開口部の内径よりも大きく設定して設けたことを特徴とするものである。
【０００９】
【発明の実施の形態】
本発明の好ましい実施の形態を図に示す実施例に基づいて説明する。
【００１０】
容器１は上方が開口した有底の筒状に形成されており、図５に示すように、周壁５と底板６とによって上部が開口する収納空間７を形成し、周壁５の外周には把手８が固設されている。これらは樹脂で一体形成されている。更に、周壁５は図５に示すように、上方が大径で下方が小径のジョッキ状に形成されている。更に、前記周壁５は図７に示すように、その横断面形状において、内面２が略真円の円形に形成され、外面３が多角形に形成されている。この多角形の形状は、図３及び図７に示すように、容器１の周方向において長い辺４ａを９０°の間隔で設け、この長い辺４ａ間に短い２つの辺４ｂ，４ｃを設けて形成されている。
【００１１】
容器１の底部には、前記底板６部の外周面を図３に示すように前記の長い辺４ａの中央部での直径Ｒ１と略同径の直径に形成してなる嵌合部１０が設けられている。したがって、この嵌合部１０の外周面は、前記の短い辺４ｂ，４ｃよりも内側を通り、各辺４ａ，４ｂ，４ｃの両端４ｄとの間には大きな段差Ｄが生じている。
【００１２】
前記の容器１の上方開口部１１の内径Ｒ３は嵌合部１０の外径よりも大きいため、積み重ねる時に、下段の容器１の上方開口部１１に上段の容器１の嵌合部１０を嵌合した場合、前記の嵌合部１０の外径Ｒ１を、仮に、上方開口部１１にほぼ一ぱいに嵌合するようにＲ３に設定すると、その嵌合部１０の外周面が、図３において、辺４ａよりも外側へ突出し、見栄えが悪い。そのため、前記のように嵌合部１０の外径を前記のようにＲ１に設定すると、前記のような突出が生じないが、逆に、嵌合した場合に、上方開口部１１の内面と嵌合部１０の外周面との間に大きな隙間が生じて、ガタつきが大きくなる。
【００１３】
そこで本発明は、底部における嵌合部１０の外周面の直径Ｒ１を、辺４ａより外側へ突出しない径に設定し、かつ、これによるガタつきを防止するために、図に示すような第１の突起１２と第２の突起１３を設けた。
【００１４】
第１の突起１２は、容器１の軸芯を中心とする対称位置にある短い辺４ｂと４ｂ及び４ｃと４ｃに位置して、嵌合部１０の外周面に外方へ突出して設けられている。該第１の突起１２の突出量は、対称位置にある両突起１２の先端間の直径Ｒ４を前記Ｒ３より若干短くなるように、すなわち該第１の突起１２が上方開口部１１内にほぼ一ぱいに嵌合する長さに設定され、該第１の突起１２が上方開口部１１内に横方向のガタつきを少なくして嵌合するようになっている。更に、該第１の突起１２は、周方向において複数個、部分的に適宜間隔を有して、実施例においては短い辺４ｂ，４ｃ部分に設けられている。
【００１５】
また、第２の突起１３は、前記嵌合部１０よりも上方の位置において複数個、適宜間隔をおいて周方向に部分的に設けられている。実施例では、前記第１の突起１２と同一位置における辺４ｂ，４ｃにおいて、第１の突起１２の上部に位置して外方へ突出して設けられている。更に、該第２の突起１３の突出量は、対称位置にある両突起１３の先端間の直径が前記Ｒ３よりも長くなるように設定され、嵌合部１０を上方開口部１１内に嵌合した場合に、この第２の突起１３が外壁５の上端面に載置するようになっている。なお、前記第１の突起１２と第２の突起１３は、周方向に位置をずらして設けてもよい。
【００１６】
以上の構造により、容器１が前記のような形状の多角形であっても、容器１の嵌合部１０の外周面を周壁５の外面３より外方へ突出させず、かつ、図８に示すように下段の容器１の上方開口部１１に上段の容器１の嵌合部１０を嵌合して積み重ねた場合に、第１の突起１２によって直径方向（横方向）のガタつきを少なくし、更に、第２の突起１３によってその上段の容器１を下段の容器１上に載置して積み重ねることができる。
【００１７】
なお、本発明の容器１は、スロットマシンゲーム機において、その遊戯中に、遊戯者がそのコインを入れて収納する容器として使用するのに適するものであるが、その他、パチンコゲーム機などの遊戯娯楽機器において、遊戯者がその玉などを収納する容器としても使用できるものである。
【００１８】
【発明の効果】
以上のようであるから本発明によれば、例えば外形が多角形の容器で、その底部の積み重ね用の嵌合部が上方開口部の内径よりもかなり小さくする必要がある容器であっても、下段の容器の上方開口部に上段の容器の嵌合部を嵌合して積み重ねた場合に、第１の突起によって直径方向のガタつきを防止できるとともに第２の突起によって積み重ね状態を確保することができる。
【図面の簡単な説明】
【図１】本発明の実施例を示す容器の斜視図。
【図２】図１の平面図。
【図３】図１の底面図。
【図４】図２の右側面図。
【図５】図２におけるＡ−Ａ線断面図。
【図６】図３におけるＢ−Ｂ線断面図。
【図７】図４におけるＣ−Ｃ線断面図。
【図８】本発明の容器の積み重ね状態を示す一部断面図。
【符号の説明】
１    容器
１０  嵌合部
１１  上方開口部
１２  第１の突起
１３  第２の突起
【図１】
2004314971.tif 000003
【図２】
2004314971.tif 000004
【図３】
2004314971.tif 000005
【図４】
2004314971.tif 000006
【図５】
2004314971.tif 000007
【図６】
2004314971.tif 000008
【図７】
2004314971.tif 000009
【図８】
2004314971.tif 000010